(57)【要約】【課題】眼鏡装置を装着した視聴者及び眼鏡装置を装着しない視聴者に対して、適切な映像を同時に表示することができる表示装置及び表示制御方法を提供する。【解決手段】視聴者の眼への映像光の透過量を調整する調光部を備える眼鏡装置を通じて立体的に知覚される映像を表示するための映像信号が入力される入力部と、前記映像信号に基づき、前記映像を表示する表示部と、前記映像の色温度を調整する調整部と、を備え、前記調光部が前記透過量を低減させている第１期間の間、前記調整部は、前記映像信号が規定する基準色相に対して第１色相が付加されるように前記色温度を調整し、前記調光部が前記透過量を増大させている第２期間の間、前記調整部は、前記基準色相に対して、前記第１色相とは反対色の第２色相が付加されるように前記色温度を調整することを特徴とする表示装置。【選択図】図１
2012173558.tif 000002
【特許請求の範囲】
【請求項１】
視聴者の眼への映像光の透過量を調整する調光部を備える眼鏡装置を通じて立体的に知覚される映像を表示するための映像信号が入力される入力部と、
前記映像信号に基づき、前記映像を表示する表示部と、
前記映像の色温度を調整する調整部と、を備え、
前記調光部が前記透過量を低減させている第１期間の間、前記調整部は、前記映像信号が規定する基準色相に対して第１色相が付加されるように前記色温度を調整し、前記調光部が前記透過量を増大させている第２期間の間、前記調整部は、前記基準色相に対して、前記第１色相とは反対色の第２色相が付加されるように前記色温度を調整することを特徴とする表示装置。
【請求項２】
前記第２色相は、前記調光部が減衰させる色相であることを特徴とする請求項１に記載の表示装置。
【請求項３】
前記表示部は、液晶パネルと、該液晶パネルに光を照射するバックライト光源と、を含み、
前記調整部は、前記バックライト光源の発光色を制御する制御要素と含むことを特徴とする請求項１又は２に記載の表示装置。
【請求項４】
前記制御要素は、前記第１期間における前記第１色相が第２期間における前記第２色相によって相殺されるように、前記バックライト光源から前記液晶パネルに照射される前記光の輝度を調整することを特徴とする請求項３に記載の表示装置。
【請求項５】
視聴者の眼への映像光の透過量を調整する調光部を備える眼鏡装置を通じて立体的に知覚される映像を表示するための映像信号が入力される段階と、
前記映像信号に基づき、前記映像を生成する段階と、
前記調光部が前記透過量を低減させている第１期間の間、前記映像信号が規定する基準色相に対して第１色相が付加されるように前記色温度が調整された第１映像を表示する段階と、
前記調光部が前記透過量を増大させている第２期間の間、前記基準色相に対して前記第１色相とは反対色の第２色相が付加されるように前記色温度が調整された第２映像を表示する段階と、を備えることを特徴とする表示制御方法。
【発明の詳細な説明】
【技術分野】
【０００１】
本発明は、映像を表示するための表示装置及び表示制御方法に関する。
【背景技術】
【０００２】
立体的に知覚される映像を表示する表示装置は、左眼で視聴されるための左眼用フレーム画像（以下、Ｌフレーム画像と称される）と、右眼で視聴されるための右眼用フレーム画像（以下、Ｒフレーム画像と称される）とを所定周期（例えば、フィールド周期）で交互に表示する。表示されるＬフレーム画像及びＲフレーム画像は、視差の分だけ異なる内容を含む。視聴者は、Ｌフレーム画像及びＲフレーム画像の表示周期に同期して駆動される液晶シャッタを備える眼鏡装置を通じて、Ｌフレーム画像及びＲフレーム画像を視聴する（例えば、特許文献１）。この結果、視聴者は、Ｌフレーム画像及びＲフレーム画像に表現されたオブジェクトを立体的に知覚する。
【先行技術文献】
【特許文献】
【０００３】
【特許文献１】特許第３０６６２９８号公報
【発明の概要】
【発明が解決しようとする課題】
【０００４】
上述の如く、表示装置が表示する映像は、液晶シャッタを通じて視聴される。液晶シャッタといった光学素子は、多くの場合、映像光のうち特定の色相成分を減衰させる分光特性を有する。例えば、液晶シャッタが青の色相を減衰させるならば、眼鏡装置を装着した視聴者は、全体的に黄色みがかった映像を知覚する。
【０００５】
表示装置は、液晶シャッタや他の光学素子による色相成分の減衰を補填するように、表示される映像の特定の色相成分を強めて、映像を表示してもよい。例えば、青の色相を減衰させる液晶シャッタに対応する表示装置が、青の色相を強めて映像を表示するならば、視聴者は、映像信号に規定される色相の映像を視聴することができる。
【０００６】
表示装置の使用環境や表示装置が表示する映像の内容によっては、眼鏡装置を装着した視聴者及び眼鏡装置を装着していない視聴者が、同時に、表示装置が表示する映像を視聴することもある。例えば、表示装置が販売及び展示されている店内において、眼鏡装置を装着する視聴者及び眼鏡装置を装着していない視聴者は、同時に、表示装置が表示する映像を視聴する。
【０００７】
上述の如く、表示装置が、青の色相を付加する補正を行うならば、眼鏡装置を装着した視聴者は、適切な映像を視聴することができる。その一方で、眼鏡装置を装着しない視聴者は、青みがかった映像を視聴することとなる。
【０００８】
本発明は、眼鏡装置を装着した視聴者及び眼鏡装置を装着しない視聴者に対して、適切な映像を同時に表示することができる表示装置及び表示制御方法を提供することを目的とする。
【課題を解決するための手段】
【０００９】
本発明の一の局面に係る表示装置は、視聴者の眼への映像光の透過量を調整する調光部を備える眼鏡装置を通じて立体的に知覚される映像を表示するための映像信号が入力される入力部と、前記映像信号に基づき、前記映像を表示する表示部と、前記映像の色温度を調整する調整部と、を備え、前記調光部が前記透過量を低減させている第１期間の間、前記調整部は、前記映像信号が規定する基準色相に対して第１色相が付加されるように前記色温度を調整し、前記調光部が前記透過量を増大させている第２期間の間、前記調整部は、前記基準色相に対して、前記第１色相とは反対色の第２色相が付加されるように前記色温度を調整することを特徴とする。
【００１０】
上記構成によれば、表示部は、入力部に入力された映像信号に基づき、映像を表示する。眼鏡装置の調光部は、視聴者の眼への映像光の透過量を調整し、表示部に表示される映像を、視聴者に立体的に知覚させる。
【００１１】
調光部が透過量を低減させている第１期間の間、調整部は、映像信号が規定する基準色相に対して第１色相が付加されるように色温度を調整する。調光部が透過量を増大させている第２期間の間、調整部は、基準色相に対して、第１色相とは反対色の第２色相が付加されるように色温度を調整する。
【００１２】
眼鏡装置を装着しない視聴者は、第１期間と第２期間とに亘って、第１色相が付加された映像と第２色相が付加された映像とを視聴する結果、第１色相及び第２色相が打ち消し合い、映像信号が規定する基準色相によって表現される映像を視聴することができる。眼鏡装置を装着した視聴者は、第２色相が付加された映像を、調光部を通じて視聴するので、調光部による影響が低減された映像を視聴することができる。かくして、表示装置は、眼鏡装置を装着した視聴者及び眼鏡装置を装着しない視聴者に対して、適切な映像を同時に表示することができる。
【００１３】
上記構成において、前記第２色相は、前記調光部が減衰させる色相であることが好ましい。
【００１４】
上記構成によれば、第２色相は、調光部が減衰させる色相であるので、第２期間に付加された第２色相は、調光部によって減衰される。したがって、眼鏡装置を装着した視聴者は、映像信号が規定する基準色相によって表現される映像を視聴することができる。
【００１５】
上記構成において、前記表示部は、液晶パネルと、該液晶パネルに光を照射するバックライト光源と、を含み、前記調整部は、前記バックライト光源の発光色を制御する制御要素と含むことが好ましい。
【００１６】
上記構成によれば、制御要素は、液晶パネルに光を照射するバックライト光源の発光色を制御し、第１期間の間、基準色相に対して、第１色相を付加し、第２期間の間、基準色相に対して、第２色相を付加する。眼鏡装置を装着しない視聴者は、第１期間と第２期間とに亘って、第１色相が付加された映像と第２色相が付加された映像とを視聴する結果、第１色相及び第２色相が打ち消し合い、映像信号が規定する基準色相によって表現される映像を視聴することができる。眼鏡装置を装着した視聴者は、第２色相が付加された映像を、調光部を通じて視聴するので、調光部による影響が低減された映像を視聴することができる。かくして、表示装置は、眼鏡装置を装着した視聴者及び眼鏡装置を装着しない視聴者に対して、適切な映像を同時に表示することができる。
【００１７】
上記構成において、前記制御要素は、前記第１期間における前記第１色相が第２期間における前記第２色相によって相殺されるように、前記バックライト光源から前記液晶パネルに照射される前記光の輝度を調整することが好ましい。
【００１８】
上記構成によれば、制御要素は、第１期間における第１色相が第２期間における第２色相によって相殺されるように、バックライト光源から液晶パネルに照射される光の輝度を調整するので、眼鏡装置を装着しない視聴者は、映像信号が規定する基準色相によって表現される映像を視聴することができる。
【００１９】
本発明の他の局面に係る表示制御方法は、視聴者の眼への映像光の透過量を調整する調光部を備える眼鏡装置を通じて立体的に知覚される映像を表示するための映像信号が入力される段階と、前記映像信号に基づき、前記映像を生成する段階と、前記調光部が前記透過量を低減させている第１期間の間、前記映像信号が規定する基準色相に対して第１色相が付加されるように前記色温度が調整された第１映像を表示する段階と、前記調光部が前記透過量を増大させている第２期間の間、前記基準色相に対して前記第１色相とは反対色の第２色相が付加されるように前記色温度が調整された第２映像を表示する段階と、を備えることを特徴とする。
【００２０】
上記構成によれば、入力された映像信号に基づき、映像が生成される。眼鏡装置の調光部は、視聴者の眼への映像光の透過量を調整し、映像を視聴者に立体的に知覚させる。調光部が透過量を低減させている第１期間の間、映像信号が規定する基準色相に対して第１色相が付加されるように色温度が調整された第１映像が表示される。調光部が透過量を増大させている第２期間の間、基準色相に対して第１色相とは反対色の第２色相が付加されるように色温度が調整された第２映像が表示される。
【００２１】
眼鏡装置を装着しない視聴者は、第１期間と第２期間とに亘って、第１映像と第２映像とを視聴する結果、第１色相及び第２色相が打ち消し合い、映像信号が規定する基準色相によって表現される映像を視聴することができる。眼鏡装置を装着した視聴者は、第２映像を、調光部を通じて視聴するので、調光部による影響が低減された映像を視聴することができる。かくして、眼鏡装置を装着した視聴者及び眼鏡装置を装着しない視聴者に対して適切な映像が同時に表示される。
【発明の効果】
【００２２】
上述の如く、本発明に係る表示装置及び表示制御方法は、眼鏡装置を装着した視聴者及び眼鏡装置を装着しない視聴者に対して適切な映像を同時に表示することができる。
【図面の簡単な説明】
【００２３】
【図１】一実施形態にしたがう表示装置が組み込まれた映像システムの構成を概略的に示すブロック図である。
【図２】図１に示される映像システムを概略的に示す模式図である。
【図３】図１に示される映像システムの表示装置及び眼鏡装置の間での同期を示す概略的なタイミングチャートである。
【図４】図１に示される映像システムの原理とは異なる原理に従う映像システムの動作を表す概略的なタイミングチャートである。
【図５】図４に示される原理に従って表示された映像光の色相の変化を概略的に示す概念図である。
【図６】図４及び図５に関連して説明された原理に従う映像システムの動作を表す概略的なタイミングチャートである。
【図７】図４及び図５に関連して説明された原理の下、眼鏡装置を装着しない視聴者に伝達される映像光を概略的に示す概念図である。
【図８】図１に示される映像システムの動作を表す概略的なタイミングチャートである。
【図９】図８に示される原理に従って表示された映像光の色相の変化を概略的に示す概念図である。
【図１０】図８に示される原理に従って表示された映像光の色相の変化を概略的に示す概念図である。
【図１１】図１に示される映像システムの動作を表す概略的なタイミングチャートである。
【図１２】図１に示される映像システムの原理の下、眼鏡装置を装着しない視聴者に伝達される映像光を概略的に示す概念図である。
【図１３】図１に示される映像システムの原理に従う映像の表示制御方法を概略的に示すフローチャートである。
【発明を実施するための形態】
【００２４】
以下、一実施形態にしたがう表示装置及び表示制御方法が、図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本実施形態の原理は、これらに何ら限定されるものではない。
【００２５】
（映像システムの構成）
図１は、本実施形態にしたがう表示装置及び表示制御方法の原理が適用された映像システムを概略的に示すブロック図である。図２は、図１に示される映像システムの概略図である。図１及び図２を用いて、映像システムの概略的な構成が説明される。
【００２６】
映像システム１００は、左眼で視聴されるように作成された左眼用フレーム画像（以下、Ｌフレーム画像と称される）と、右眼で視聴されるように作成された右眼用フレーム画像（以下、Ｒフレーム画像と称される）とを含むフレーム画像を表示する表示装置２００と、表示装置２００が表示するＬフレーム画像及びＲフレーム画像の視聴を補助する眼鏡装置３００とを備える。眼鏡装置３００は、視聴者が左眼でＬフレーム画像を視聴し、右眼でＲフレーム画像を視聴するように、表示装置２００によるＬフレーム画像及びＲフレーム画像の表示に同期した補助動作を行う。この結果、視聴者は、眼鏡装置３００を通じて、表示装置２００が表示するフレーム画像（Ｌフレーム画像及びＲフレーム画像）を立体的に知覚する（視聴者は、Ｌフレーム画像及びＲフレーム画像中で表現されたオブジェクトを、Ｌフレーム画像及びＲフレーム画像が映し出される表示面に対して、飛び出たように或いは引っ込んだように知覚する）。
【００２７】
視力矯正用の眼鏡と同様の形状をなす眼鏡装置３００は、視聴者の左眼前に配設される左シャッタ３１１と、視聴者の右眼前に配設される右シャッタ３１２とを含む光学シャッタ部３１０を備える。左シャッタ３１１は、表示装置２００がＬフレーム画像を表示しているときに開き、表示装置２００がＲフレーム画像を表示しているときに閉じる。右シャッタ３１２は、表示装置２００がＬフレーム画像を表示しているときに閉じ、表示装置２００がＲフレーム画像を表示しているときに開く。表示装置２００がＬフレーム画像を表示しているときに、Ｌフレーム画像から視聴者の左眼へ透過する光路が開かれる一方で、Ｌフレーム画像から視聴者の右眼へ透過する光路が閉じられるので、視聴者は左眼のみでＬフレーム画像を視聴する。同様に、表示装置２００がＲフレーム画像を表示しているときに、Ｒフレーム画像から視聴者の右眼へ透過する光路が開かれる一方で、Ｒフレーム画像から視聴者の左眼へ透過する光路が閉じられるので、視聴者は右眼のみでＲフレーム画像を視聴する。
【００２８】
本実施形態において、光学シャッタ部３１０は、調光部として例示される。調光部は、左シャッタ３１１及び右シャッタ３１２といったシャッタ素子に代えて、表示装置２００からの映像光の透過量を調整可能に形成された他の光学素子を備えてもよい。例えば、調光部に用いられる光学素子として、視聴者の左眼及び右眼へ透過する光を偏光する偏光素子（例えば、液晶フィルタ）が例示される。調光部に用いられる光学素子は、Ｌフレーム画像の表示に同期して、左眼への映像光の透過量を増大させる一方で、Ｒフレーム画像の表示に同期して、左眼への映像光の透過量を低減させるように制御される。また、調光部に用いられる光学素子は、Ｒフレーム画像の表示に同期して、右眼への映像光の透過量を増大させる一方で、Ｌフレーム画像の表示に同期して、右眼への映像光の透過量を低減させるように制御される。
【００２９】
後述される如く、左シャッタ３１１及び右シャッタ３１２がともに閉じられる期間及び左シャッタ３１１及び右シャッタ３１２のうち一方が開かれる期間が設けられるように光学シャッタ部３１０は制御される。本実施形態において、左シャッタ３１１及び右シャッタ３１２がともに閉じられる期間は、第１期間として例示される。左シャッタ３１１及び右シャッタ３１２のうち一方が開かれる期間は、第２期間として例示される。代替的に、第１期間は、眼鏡装置３００を装着した視聴者の両眼への映像光の伝達が遮断される他の期間であってもよい。第２期間は、眼鏡装置３００を装着する視聴者の眼への映像光の伝達が許容される他の期間であってもよい。例えば、第２期間は、左シャッタ３１１及び右シャッタ３１２がともに開かれている期間を意味してもよい。
【００３０】
本実施形態において、第１期間中に、映像信号の書込が主に行われる。第２期間において、映像信号の書込は略完了し、表示装置２００は、略完全なフレーム画像を表示する。かくして、眼鏡装置３００を装着した視聴者は、書込途中の不完全なフレーム画像を略知覚することなく、適切に表示されたフレーム画像を視聴することができる。
【００３１】
本実施形態において、左シャッタ３１１及び右シャッタ３１２は、映像光のうち青の色相を減衰させる分光特性を有する。表示装置２００は、左シャッタ３１１及び右シャッタ３１２による青の色相の減衰を補填するように映像の色相を調整する。本実施形態において、青の色相は、第２色相として例示される。また、青の色相の反対色に相当する黄の色相は、第１色相として例示される。尚、第２色相は、映像光の透過量を調整する調光部が減衰させる特定の色相に対応して定められる。したがって、調光部が青の色相以外の他の特定の色相を減衰させる分光特性を有するならば、第２色相は、調光部が減衰させる他の特定の色相を意味する。また、第１色相との用語は、第２色相の反対色に対応する色相を意味するので、第２色相が青以外の色相であるならば、第１色相は、第２色相として規定された特定の色相に対応する黄以外の色相を意味する。
【００３２】
以下の説明において、「基準色相」との用語は、表示装置２００に入力される映像信号が、表示装置２００の画素それぞれに対して規定する色相を意味する。表示装置２００は、上述の「第１期間」において、「基準色相」に対して、「黄の色相」が付加された第１映像を表示する。また、表示装置２００は、上述の「第２期間」において、「基準色相」に対して、「青の色相」が付加された第２映像を表示する。第１映像及び第２映像の表示に係る制御は後述される。尚、「第１映像」との用語は、第１色相として定められた色相が基準色相に付加された映像を意味する。したがって、「第１映像」との用語は、調光部の分光特性に応じて定められた黄以外の色相が基準色相に付加された映像を意味してもよい。また、「第２映像」との用語は、調光部の性質に応じて定められた青以外の色相が基準色相に付加された映像を意味してもよい。
【００３３】
表示装置２００は、映像信号処理部２１０、液晶駆動部２２０、表示部２３０、第１制御部２５０及び第２制御部２４０を備える。
【００３４】
映像信号処理部２１０には、基本となる垂直同期周波数を有する映像信号（左眼用映像信号（以下、Ｌ信号と称される）及び右眼用映像信号（以下、Ｒ信号と称される））が入力される。映像信号処理部２１０は、入力されたＬ信号とＲ信号とを、基本となる垂直同期周波数のＮ倍（Ｎは自然数）の周波数で交互に出力する。本実施形態において、映像信号処理部２１０は、入力部として例示される。
【００３５】
本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に第１制御信号を出力する。
【００３６】
表示部２３０は、バックライト光源２３２を備える。第１制御部２５０は、映像信号処理部２１０からの第１制御信号に基づき、表示部２３０のバックライト光源２３２を制御する。映像信号処理部２１０は、Ｌ信号及びＲ信号の出力に同期して、第２制御部２４０を制御するための第２制御信号を出力する。第２制御部２４０は、映像信号処理部２１０からの第２制御信号に基づき、光学シャッタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００３７】
以下の説明において、Ｌ信号に含まれる一の垂直同期信号と、該一の垂直同期信号に続いて入力される後の垂直同期信号との間の映像情報を含む映像信号は、Ｌフレーム画像信号と称される。また、Ｒ信号に含まれる一の垂直同期信号と、該一の垂直同期信号に続いて入力される後の垂直同期信号との間の映像情報を含む映像信号は、以下の説明において、Ｒフレーム画像信号と称される。Ｌフレーム画像信号は、Ｌフレーム画像を表現するために用いられる。同様に、Ｒフレーム画像信号は、Ｒフレーム画像を表現するために用いられる。
【００３８】
表示部２３０は、上述のバックライト光源２３２に加えて、液晶を用いてＬフレーム画像とＲフレーム画像とを時間的に交互に切り換えて表示する液晶パネル２３１を備える。バックライト光源２３２は、第１制御信号に基づき動作する第１制御部２５０の制御下で、液晶パネル２３１に光を照射する。液晶駆動部２２０は、水平方向及び垂直方向にフレーム画像信号（Ｌフレーム画像信号又はＲフレーム画像信号）を書き込み、液晶パネル２３１の液晶を駆動する。液晶駆動部２２０は、Ｌフレーム画像信号とＲフレーム画像信号とを交互に書き込む。この結果、液晶パネル２３１にＬフレーム画像及びＲフレーム画像が時間的に交互に表示される。
【００３９】
液晶駆動部２２０は、映像信号に含まれる垂直同期信号及び水平同期信号にしたがって、フレーム画像信号を、液晶パネル２３１が表示可能な形式に変換する。液晶駆動部２２０は、液晶パネル２３１上のフレーム画像の表示ごとに変換されたフレーム画像信号を液晶パネル２３１に書き込む。この結果、液晶パネル２３１の液晶が、フレーム画像信号に応じて駆動される。
【００４０】
上述の液晶駆動部２２０による液晶の駆動によって、液晶パネル２３１は、画像信号に応じて、背面から入射する光を変調する。この結果、液晶パネル２３１は、左眼で視聴されるように作成されたＬフレーム画像と、右眼で視聴されるように作成されたＲフレーム画像とを交互に表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００４１】
バックライト光源２３２は、液晶パネル２３１の背面から液晶パネル２３１の表示面に向けて光を照射する。
【００４２】
第１期間において、映像信号は下方に向けて順次書き込まれる。この間、第１制御部２５０は、第１制御信号に基づき、バックライト光源２３２を制御する結果、バックライト光源２３２は、黄色の色相を有する光を発光する。第２期間において、略完全なＬフレーム画像又はＲフレーム画像が液晶パネル２３１に表示される。この間、第１制御部２５０は、第１制御信号に基づき、バックライト光源２３２を制御する結果、バックライト光源２３２は、青色の色相を有する光を発光する。
【００４３】
バックライト光源２３２は、黄色の光を発する黄色光源（図示せず）と青色の光を発する青色光源（図示せず）を備えてもよい。第１制御部２５０は、第１期間において、黄色光源を発光させ、第２期間において、青色光源を発光させてもよい。
【００４４】
代替的に、バックライト光源２３２は、駆動電流に応じて、黄色の色相成分が高められた光と青色の色相成分が高められた光とを選択的に発する光源（例えば、ＬＥＤ光源：図示せず）を備えてもよい。第１制御部２５０は、バックライト光源２３２へ供給される駆動電流を調整し、発光色（黄色又は青色）を第１期間と第２期間との間で切り替えてもよい。
【００４５】
更に代替的に、バックライト光源２３２は、ＲＧＢの３原色に対応する光をそれぞれ発する光源（図示せず）を備えてもよい。第１制御部２５０は、ＲＧＢそれぞれに対応する光源の輝度を調整し、発光色（黄色又は青色）を第１期間と第２期間との間で切り替えてもよい。
【００４６】
上述の如く、バックライト光源２３２の発光色の切替は、様々な手法で達成される。本実施形態に従う原理は、バックライト光源２３２の発光色を切り替えることができる任意の技術を包含する。
【００４７】
上述の第１制御部２５０の発光色の切替制御の結果、液晶パネル２３１を通じて表示される映像の色温度が調整される。第１制御部２５０による色温度の調整の結果、表示部２３０は、第１期間において、映像信号が規定する基準色相に対して、黄色の色相が付加された第１映像を表示し、第２期間において、映像信号が規定する基準色相に対して、青色の色相が付加された第１映像を表示する。本実施形態において、第１制御部２５０は、調整部又は制御要素として例示される。
【００４８】
バックライト光源２３２が、黄色発光用の光源と青色発光用の光源とを独立して備えるならば、第１制御部２５０は、バックライト光源２３２から発せられる光の色相に加えて、バックライト光源２３２の輝度も容易に制御することができる。第１制御部２５０は、好ましくは、第１期間において発せられた黄色の光が、第２期間において発せられた青色の光によって、積分的に相殺されるように、黄色発光用及び青色発光用の光源の輝度を制御する。
【００４９】
第２制御部２４０は、眼鏡装置３００の光学シャッタ部３１０を、Ｌフレーム画像及びＲフレーム画像の表示周期に合わせて制御する。第２制御部２４０は、左シャッタ３１１を制御するための左眼用のシャッタ制御部２４１（以下、Ｌシャッタ制御部２４１と称される）と、右シャッタ３１２を制御するための右眼用のシャッタ制御部２４２（以下、Ｒシャッタ制御部２４２と称される）とを備える。液晶パネル２３１がＬフレーム画像及びＲフレーム画像を、例えば、１２０Ｈｚで交互に表示するとき、Ｌシャッタ制御部２４１は、左シャッタ３１１が６０Ｈｚの周期で視聴者の左眼へ伝達される映像光の透過量（以下、左眼光量と称される）を調整する（増減させる）ように眼鏡装置３００を制御する。同様に、Ｒシャッタ制御部２４２は、右シャッタ３１２が６０Ｈｚの周期で視聴者の右眼へ伝達される映像光の透過量（以下、右眼光量と称される）を調整する（増減させる）ように眼鏡装置３００を制御する。
【００５０】
図２に示される如く、本実施形態において、表示装置２００は、Ｌフレーム画像の表示に同期する第１同期信号を送信する第１送信部２４３と、Ｒフレーム画像の表示に同期する第２同期信号を送信する第２送信部２４４とを備える。また、眼鏡装置３００は、左シャッタ３１１と右シャッタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左シャッタ３１１を動作させる。また、眼鏡装置３００は、第２同期信号に基づき、右シャッタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、左眼用映像の表示及び右眼用映像の表示は、共通化された同期信号の立ち上がりに交互に同期されてもよい。
【００５１】
Ｌシャッタ制御部２４１及びＲシャッタ制御部２４２は、映像信号処理部２１０からの制御信号を基準とし、左シャッタ３１１による左眼光量の増減周期の位相及び右シャッタ３１２による右眼光量の増減周期の位相を決定する。Ｌシャッタ制御部２４１及びＲシャッタ制御部２４２は、決定された位相に従い、第１同期信号及び第２同期信号を出力する。左シャッタ３１１及び右シャッタ３１２それぞれは、第１同期信号及び第２同期信号に基づき、Ｌフレーム画像の表示及びＲフレーム画像の表示に同期して、左眼光量及び右眼光量を増減させる。
【００５２】
第２制御部２４０は、液晶パネル２３１の応答特性並びに表示されるＬフレーム画像とＲフレーム画像との間のクロストーク（相互干渉）を考慮して、左シャッタ３１１及び右シャッタ３１２それぞれが左眼光量及び右眼光量を増大させている第２期間の長さと、第２期間のタイミング（位相）を決定する。Ｌシャッタ制御部２４１は、左眼光量に対する第２期間の長さ及びタイミングを制御する。Ｒシャッタ制御部２４２は、右眼光量に対する第２期間の長さ及びタイミングを制御する。
【００５３】
第１制御部２５０は、好ましくは、第２制御部２４０と連動して、上述の発光色の切替制御を行う。例えば、第２制御部２４０が、左シャッタ３１１又は右シャッタ３１２を開くための同期信号を送信するのと同時に、バックライト光源２３２が黄色の発光から青色の発光に発光モードを切り替えるための切替信号をバックライト光源２３２へ出力してもよい。また、第２制御部２４０が、左シャッタ３１１及び／又は右シャッタ３１２を閉じるための同期信号を送信するのと同時に、バックライト光源２３２が青色の発光から黄色の発光に発光モードを切り替えるための切替信号をバックライト光源２３２へ出力してもよい。
【００５４】
（表示装置と眼鏡装置との間の同期）
図３は、表示装置２００と眼鏡装置３００との同期動作を示す概略的なタイミングチャートである。図１及び図３を用いて、表示装置２００と眼鏡装置３００との間の同期が説明される。
【００５５】
図３のセクション（Ａ）は、表示部２３０による映像の表示動作を概略的に示す。本実施形態において、１６．７ｍｓｅｃのフィールドが設定される。尚、フィールドの長さは、例えば、表示される映像の内容や表示部２３０の性能に応じて、他の値に設定されてもよい。
【００５６】
フィールドごとに、Ｌフレーム画像信号の書込及びＬフレーム画像の表示のためのＬ期間並びにＲフレーム画像信号の書込及びＲフレーム画像の表示のためのＲ期間が設定される。１フィールド内に表示されるＬフレーム画像及びＲフレーム画像は、視差の分だけ異なる内容を表す。本実施形態において、Ｒ期間は、Ｌ期間に後続する。代替的に、Ｌ期間が、Ｒ期間に後続してもよい。
【００５７】
Ｌ期間において、液晶パネル２３１の上部から下部に向けて、Ｌフレーム画像信号が順次書き込まれる。液晶パネル２３１は、Ｌフレーム画像信号の書込に従って、液晶パネル２３１の上部領域から下部領域に向けて、順次、Ｌフレーム画像を表示する。Ｌフレーム画像信号が、液晶パネル２３１の下部領域まで書き込まれると、Ｌフレーム画像全体が液晶パネル２３１に表示される。その後、所定期間、Ｌフレーム画像は、液晶パネル２３１上に表示され続ける。本実施形態において、Ｌフレーム画像信号が書き込まれている期間は、上述の第１期間に対応する。また、その後のＬフレーム画像の表示期間は、上述の第２期間に対応する。
【００５８】
Ｒ期間において、液晶パネル２３１の上部から下部に向けて、Ｒフレーム画像信号が順次書き込まれる。液晶パネル２３１は、Ｒフレーム画像信号の書込に従って、液晶パネル２３１の上部領域から下部領域に向けて、順次、Ｒフレーム画像を表示する。Ｒフレーム画像信号が、液晶パネル２３１の下部領域まで書き込まれると、Ｒフレーム画像全体が液晶パネル２３１に表示される。その後、所定期間、Ｒフレーム画像は、液晶パネル２３１上に表示され続ける。本実施形態において、Ｒフレーム画像信号が書き込まれている期間は、上述の第１期間に対応する。また、その後のＬフレーム画像の表示期間は、上述の第２期間に対応する。
【００５９】
図３のセクション（Ｂ）は、バックライト光源２３２の発光動作を概略的に示す。本実施形態において、バックライト光源２３２は、常時、点灯している。必要に応じて、バックライト光源２３２は、一時的に消灯されてもよい。
【００６０】
第１制御部２５０によって制御されたバックライト光源２３２は、第１期間において、黄色発光し、第２期間において、青色発光する。したがって、液晶パネル２３１は、第１期間において、映像信号が規定するフレーム画像よりも黄色みがかったフレーム画像を表示する。また、液晶パネル２３１は、第２期間において、映像信号が規定するフレーム画像よりも青みがかったフレーム画像を表示する。
【００６１】
図３のセクション（Ｃ）は、光学シャッタ部３１０の動作を概略的に示す。第１期間において、左シャッタ３１１及び右シャッタ３１２はともに閉じられている。したがって、眼鏡装置３００を装着した視聴者は、上述の黄色みがかったフレーム画像をほとんど視聴しない。
【００６２】
第２期間において、左シャッタ３１１及び右シャッタ３１２のうち一方が開かれる。液晶パネル２３１にＬフレーム画像が表示されている期間、左シャッタ３１１が開き、右シャッタ３１２が閉じられている。この間、視聴者は、左眼でＬフレーム画像を視聴することができる。液晶パネル２３１にＲフレーム画像が表示されている期間、右シャッタ３１２が開き、左シャッタ３１１が閉じられている。この間、視聴者は、右眼でＲフレーム画像を視聴することができる。
【００６３】
上述の如く、左シャッタ３１１及び右シャッタ３１２のうち一方が開かれる第２期間において表示されるフレーム画像は、青みがかっている。しかしながら、左シャッタ３１１及び右シャッタ３１２は、表示装置２００から発せられる映像光のうち青の色相成分を減衰させる分光特性を有するので、視聴者の左眼又は右眼に到達する映像光の色相は、映像信号が規定する基準色相に略一致する。
【００６４】
（バックライト光源の制御）
図４は、本実施形態の原理とは異なる原理に従って、眼鏡装置を装着する視聴者に映像を提供する映像システムの動作を表す概略的なタイミングチャートである。図５は、図４に示される原理に従って表示された映像光の色相の変化を概略的に示す概念図である。図４及び図５を用いて、眼鏡装置を装着する視聴者に映像を提供するための他の原理が説明される。
【００６５】
図４のセクション（Ａ）は、表示装置のフレーム画像の表示動作を概略的に示す。図４に示される原理に従う表示装置の映像信号処理部は、光学シャッタによる映像光の青の色相の減衰を補填するように、映像信号を処理する。液晶駆動部は、青の色相を補填するように調整された映像信号に基づき、液晶パネルの液晶を駆動する。バックライト光源２３２の発光色を切り替える本実施形態の原理と異なり、図４に示される原理では、液晶駆動部に出力される映像信号自体が調整され、青の色相成分が増大された映像が液晶パネルに表示される。
【００６６】
図４のセクション（Ｂ）は、バックライト光源の発光動作を概略的に示す。図４に示される原理に従う表示装置のバックライト光源は、フレーム画像信号が書き込まれている書込期間の間において消灯し、液晶パネルが略完全なフレーム画像を表示している表示期間において点灯する。この結果、図５に示される如く、表示期間において、映像信号処理部によって処理される前の映像信号が規定する基準色相Ｉに青色の色相Ｂが付加された映像光が視聴者の眼に伝達される。
【００６７】
図４のセクション（Ｃ）は、光学シャッタの開閉動作を概略的に示す。光学シャッタは、フレーム画像信号が書き込まれている書込期間の間において閉じ、液晶パネルが略完全なフレーム画像を表示している表示期間において開く。この結果、液晶パネルによって表示されたフレーム画像は、視聴者によって視聴される。
【００６８】
図５に示される如く、光学シャッタは、液晶パネルから発せられる映像光のうち青の色相Ｂを減衰させる分光特性を有する。上述の如く、図４に関連して説明された原理に従うと、液晶パネルから発せられる映像光は、映像信号処理部によって処理される前の映像信号が規定する基準色相Ｉに付加された青色の色相Ｂを含む。したがって、映像光が光学シャッタを透過するときに、追加的な青色の色相Ｂが減衰され、眼鏡装置を装着する視聴者は、映像信号処理部によって処理される前の映像信号が規定する基準色相Ｉを知覚する。
【００６９】
図６は、図４及び図５に関連して説明された原理に従う映像システムの動作を表す概略的なタイミングチャートである。図７は、眼鏡装置を装着しない視聴者に伝達される映像光を概略的に示す概念図である。図４乃至図７を用いて、図４及び図５に関連して説明された原理によって、眼鏡装置を装着しない視聴者が知覚する映像光が説明される。
【００７０】
図６のセクション（Ａ）は、図４のセクション（Ａ）に対応し、表示装置のフレーム画像の表示動作を概略的に示す。表示装置のフレーム画像の表示動作は、図４のセクション（Ａ）に説明されたものと同様である。
【００７１】
図６のセクション（Ｂ）は、図４のセクション（Ｂ）に対応し、バックライト光源の発光動作を概略的に示す。バックライト光源の発光動作は、図４のセクション（Ｂ）に説明されたものと同様である。
【００７２】
図７に示される如く、視聴者が眼鏡装置を装着していないならば、映像信号処理部によって処理される前の映像信号が規定する基準色相Ｉに付加された青色の色相Ｂを含む映像光は、視聴者の眼に直接的に伝達される。この結果、視聴者は、全体的に青みがかったフレーム画像を視聴することとなる。
【００７３】
図８は、本実施形態の原理に従って、眼鏡装置３００を装着する視聴者に映像を提供する映像システム１００の動作を表す概略的なタイミングチャートである。図９及び図１０は、図８に示される原理に従って表示された映像光の色相の変化を概略的に示す概念図である。図９は、第２期間における映像光の色相変化を示す。図１０は、第１期間における映像光の色相変化を示す。図１、図４、図５、図８乃至図１０を用いて、図４及び図５に関連して説明された原理との相違が説明される。
【００７４】
図８のセクション（Ａ）は、表示装置２００のフレーム画像の表示動作を概略的に示す。図４及び図５に関連して説明された表示装置とは異なり、本実施形態の原理に従う表示装置２００の映像信号処理部２１０は、青色の色相Ｂを補填する処理を行わない。
【００７５】
図８のセクション（Ｂ）は、バックライト光源２３２の発光動作を示す。本実施形態の原理によれば、図９に示される如く、バックライト光源２３２は、映像信号処理部２１０の代わりに、略完全なフレーム画像が表示される第２期間において、青色の色相Ｂを補填する。したがって、第２期間において、バックライト光源２３２は、青みがかった光を液晶パネル２３１に向けて照射する。
【００７６】
液晶駆動部２２０は、青色の色相Ｂを補填する処理に施与されていないフレーム画像信号に基づいて、液晶パネル２３１の液晶を駆動する。この結果、バックライト光源２３２が液晶パネル２３１を通過するとき、液晶パネル２３１のカラーフィルタ（図示せず）によって、フレーム画像信号によって規定される基準色相Ｉがバックライト光源２３２からの光に付加される。したがって、液晶パネル２３１からは、フレーム画像信号によって規定される基準色相Ｉとバックライト光源２３２によってもたらされる青色の色相Ｂとを含む映像光が照射される。
【００７７】
図４のセクション（Ｃ）は、光学シャッタ部３１０の開閉動作を概略的に示す。光学シャッタ部３１０は、第２期間において、映像光の透過を許容する。上述の如く、光学シャッタ部３１０の左シャッタ３１１及び右シャッタ３１２は、映像光のうち青色の色相Ｂを減衰させる分光特性を有する。したがって、図９に示される如く、光学シャッタ部３１０は、第２期間において、液晶パネル２３１から発せられた映像光から青色の色相Ｂを除去する。この結果、視聴者は、フレーム画像信号によって規定される基準色相Ｉで表されるフレーム画像を視聴することができる。
【００７８】
図８のセクション（Ｂ）及び図１０に示される如く、バックライト光源２３２は、フレーム画像が書き込まれている第１期間において、黄色の色相Ｙが強調された光を液晶パネル２３１に照射する。この結果、液晶パネル２３１は、フレーム画像信号によって規定される基準色相Ｉと黄色の色相Ｙとを含む映像光を照射する。
【００７９】
図８のセクション（Ｃ）及び図１０に示される如く、第１期間において、光学シャッタ部３１０は、映像光の透過を妨げる。したがって、基準色相Ｉと色相Ｙとを含む映像光は、視聴者の眼にほとんど到達しない。
【００８０】
図１１は、本実施形態の原理に従う映像システム１００の動作を表す概略的なタイミングチャートである。図１２は、眼鏡装置３００を装着しない視聴者に伝達される映像光を概略的に示す概念図である。図１、図８乃至図１２を用いて、眼鏡装置３００を装着しない視聴者に知覚される映像が説明される。
【００８１】
図１１のセクション（Ａ）は、図８のセクション（Ａ）に対応し、表示装置２００のフレーム画像の表示動作を概略的に示す。表示装置２００のフレーム画像の表示動作は、図８のセクション（Ａ）に説明されたものと同様である。
【００８２】
図１１のセクション（Ｂ）は、図８のセクション（Ｂ）に対応し、バックライト光源の発光動作を概略的に示す。バックライト光源の発光動作は、図８のセクション（Ｂ）に説明されたものと同様である。
【００８３】
図１２に示される如く、視聴者が眼鏡装置３００を装着していないならば、第１期間において、フレーム画像信号によって規定される基準色相Ｉとバックライト光源２３２によって発せられる照射光の色相Ｙとによって加色混合された映像光が視聴者の眼に到達する。また、第２期間において、フレーム画像信号によって規定される基準色相Ｉとバックライト光源２３２によって発せられる照射光の色相Ｂとによって加色混合された映像光が視聴者の眼に到達する。視聴者は、脳内で、黄色の色相Ｙと青色の色相Ｂとを加色混合して映像を知覚する。黄色の色相Ｙと青色の色相Ｂとの加色混合によって知覚される色相は、映像の色相にほとんど影響を与えない白色の色相Ｗであるので、眼鏡装置３００を装着しない視聴者は、フレーム画像信号によって規定される基準色相Ｉで表される映像と略一致する色合いの映像を脳内で知覚することができる。
【００８４】
（表示制御方法）
図１３は、バックライト光源２３２の発光色の切替制御を伴う映像の表示制御方法を概略的に示すフローチャートである。図１及び図１３を用いて、映像の表示制御方法が説明される。
【００８５】
＜ステップＳ１００＞
ステップＳ１００において、映像信号は、映像信号処理部２１０に入力される。映像信号処理部２１０は、液晶駆動部２２０にフレーム画像信号を出力する。その後、ステップＳ１１０が実行される。液晶駆動部２２０へのフレーム画像信号の出力と平行して、映像信号処理部２１０は、第１制御部２５０に第１制御信号を出力する。その後、ステップＳ１１５が実行される。ステップＳ１１０及びステップＳ１２０は、眼鏡装置３００の光学シャッタ部３１０が映像光の透過量を低減させる第１期間において、平行して行われる。本実施形態において、ステップＳ１００は、映像信号が入力される段階として例示される。
【００８６】
＜ステップＳ１１０＞
ステップＳ１１０において、液晶駆動部２２０は、液晶パネル２３１に映像信号を書き込み、フレーム画像を生成する。上述の如く、液晶駆動部２２０は、青色の色相を増強させる処理を行うことなく、入力されたフレーム画像信号が規定する色相でフレーム画像が表示されるように液晶パネル２３１の液晶を駆動する。本実施形態において、ステップＳ１１０は、映像を生成する段階として例示される。
【００８７】
＜ステップＳ１１５＞
ステップＳ１１５において、第１制御部２５０は、バックライト光源２３２を黄色発光させる。この結果、上述のステップＳ１１０において、生成過程にあるフレーム画像は、黄色みがかった映像光として、眼鏡装置３００を装着しない視聴者の眼に到達する。一方で、第１期間において、光学シャッタ部３１０が閉じられているので、眼鏡装置３００を装着した視聴者の眼には、黄色みがかった映像光は、視聴者の眼に到達しない。本実施形態において、ステップＳ１１５は、第１映像を表示する段階として例示される。また、生成過程にあるフレーム画像は、第１映像として例示される。
【００８８】
＜ステップＳ１２０＞
上述のステップＳ１１０において、液晶パネル２３１の上部から下部までフレーム画像信号が書き込まれると、完全なフレーム画像が液晶パネル２３１に表示される。液晶パネル２３１上でのフレーム画像の完成に略同期して、左シャッタ３１１又は右シャッタ３１２が開かれ、第２期間が開始する。尚、第２期間の開始（及び終了）のタイミングは、第２制御部２４０による眼鏡装置３００への同期信号の送信タイミングに依存する。
【００８９】
＜ステップＳ１２５＞
第２期間の開始に略同期して、第１制御部２５０は、バックライト光源２３２の発光を黄色から青色へ切り替える。この結果、液晶パネル２３１からは、フレーム画像信号によって規定される色相に対して、全体的に青の色相が付加されたフレーム画像を表す映像光が発せられる。この結果、青みがかった映像光が、眼鏡装置３００を装着していない視聴者の眼に到達する。眼鏡装置３００を装着していない視聴者は、先行して到達した黄色みがかった映像光と後続の青みがかった映像光とを脳内で積分的に合成する結果、青色の色相及び黄色の色相が相殺され、フレーム画像信号によって規定された色相で表現されたフレーム画像を知覚することができる。第２期間において、眼鏡装置３００の左シャッタ３１１又は右シャッタ３１２は、開かれている。したがって、青みがかった映像光は、眼鏡装置３００を装着した視聴者の眼にも到達する。左シャッタ３１１又は右シャッタ３１２は、青色の色相を減衰させる分光特性を有するので、バックライト光源２３２によって追加された青色の色相成分は、光学シャッタ部３１０を透過する間に減衰される。この結果、眼鏡装置３００を装着した視聴者は、フレーム画像信号によって規定された色相で表現されたフレーム画像を知覚することができる。
【００９０】
上述の一連の処理が完了すると、後続のフレーム画像の表示のために、同様の処理が繰り返される。
【００９１】
上述の実施形態において、バックライト光源２３２は、黄色発光用の光源と青色発光用の光源を独立して備えている。代替的に、バックライト光源は、例えば、白色ＬＥＤを備えてもよい。バックライト光源を制御する第１制御部は、バックライト光源を駆動するための駆動電流を調整し、白色ＬＥＤから黄色又は青色の色相の光を出力させてもよい。より好ましくは、第１制御部は、駆動電流に加えて、発光デューティを制御する。この結果、出力光の色相だけでなくバックライト光源の輝度も適切に制御される。
【００９２】
（他の装置への適用）
本実施形態の原理は、液晶パネル２３１をディスプレイとして用いる映像システム１００に関連して説明されている。しかしながら、本実施形態の原理は、他の表示装置にも適用可能である。
【００９３】
例えば、眼鏡装置が遮光している間、黄色の色相が強調されるように映像信号が処理され、眼鏡装置が映像光の透過を許容している間、青色の色相が強調されるように映像信号が処理されてもよい。したがって、本実施形態の原理は、ＣＲＴ、ＰＤＰや有機エレクトロルミネッセンスといった様々な方式の表示装置にも適用可能である。
【００９４】
本実施形態の原理は、様々な電子素子を用いて、実現される。例えば、上述の一連の制御は、集積回路及びこれに組み込まれたプログラムを用いて実行されてもよい。
【産業上の利用可能性】
【００９５】
本発明は、立体映像を表示するための表示技術に適用可能である。
【符号の説明】
【００９６】
２００・・・・・・・・・・・・・・・・・表示装置
２１０・・・・・・・・・・・・・・・・・映像信号処理部
２３０・・・・・・・・・・・・・・・・・表示部
２３１・・・・・・・・・・・・・・・・・液晶パネル
２３２・・・・・・・・・・・・・・・・・バックライト光源
２５０・・・・・・・・・・・・・・・・・第１制御部
３００・・・・・・・・・・・・・・・・・眼鏡装置
３１０・・・・・・・・・・・・・・・・・光学シャッタ部
Ｂ・・・・・・・・・・・・・・・・・・・青色の色相
Ｉ・・・・・・・・・・・・・・・・・・・基準色相
Ｙ・・・・・・・・・・・・・・・・・・・黄色の色相
【図１】
2012173558.tif 000003
【図２】
2012173558.tif 000004
【図３】
2012173558.tif 000005
【図４】
2012173558.tif 000006
【図５】
2012173558.tif 000007
【図６】
2012173558.tif 000008
【図７】
2012173558.tif 000009
【図８】
2012173558.tif 000010
【図９】
2012173558.tif 000011
【図１０】
2012173558.tif 000012
【図１１】
2012173558.tif 000013
【図１２】
2012173558.tif 000014
【図１３】
2012173558.tif 000015